(57)【要約】【課題】  カードの記録変更の際に剥離しても糊残りなどのベタベタ感や異物の付着などの汚れ感がなく、取り扱い時の感触が良好であり、記録変更のためカードを機械装置に挿入した場合にも該機械装置のトラブルをまねくことがないカード用ステッカーを提供する。【解決手段】  表面に印刷面２を有する基板１と、該基板１の裏面に接着されて反対面に微細な発泡フォーム層４を有する吸盤シート３からなることを特徴とする。【選択図】  図１
2009288765.tif 000002
【特許請求の範囲】
【請求項１】
表面に印刷面を有する基板と、該基板の裏面に接着されて反対面に微細な発泡フォーム層を有する吸盤シートからなることを特徴とするカード用ステッカー。
【請求項２】
カードに貼着したままではカードの記録変更用の機械装置への挿入が不可能となる厚さに形成されてなることを特徴とする請求項１に記載のカード用ステッカー。
【請求項３】
前記厚さが０．５〜１ｍｍであることを特徴とする請求項２に記載のカード用ステッカー。
【発明の詳細な説明】
【技術分野】
【０００１】
本発明は、ＩＣカード及び磁気カード等に貼着して使用されるステッカーに関するものであり、前記カードの記録変更の際に、剥離しても糊残りなどのベタベタ感や汚れ感がなく、取り扱い時の感触が良好であり、さらに、記録変更用の機械装置に挿入した場合にも該機械装置のトラブルをまねくことがないカード用ステッカーに関する。
【背景技術】
【０００２】
近時、チャージ型の定期券及び乗車券など、記録を変更して使用する非接触型のＩＣカード、その他、磁気カードが提供されている。それらのカードは、長期間使用すると表面が磨耗して表面に表示された情報が読みにくくなり、また、使用者が不快感を感じる場合があり、さらに、表面に表示された情報が第三者に盗み視されて個人情報が漏れるなどのおそれがあった。
【０００３】
上記事情に鑑み、これまでに、カードの表面に透明の粘着シートを貼着してカードを効率よく保護する考案（実開平５−５８３５公報）が提供されている。
【０００４】
さらに、カード表面の情報の盗み視などによる安全上の問題を回避し、カード表面の磨耗を防ぐとともに、カードを元の意匠とは異なる別の意匠に見せることができるカード用ステッカーが提案されている（実用新案登録第３１３９０３９号公報）。該カード用ステッカーは、表面に適宜絵柄、文字などが印刷されて裏面に再剥離性接着剤層が形成されている。
【特許文献１】実開平５−５８３５号公報
【特許文献２】登録実用新案第３１３９０３９号公報  前記粘着シート及びカード用ステッカーは、前記ＩＣカード、その他、磁気カード等（以下単に「カード」という。）に貼着して使用されるものであった。
【０００５】
そして、カードの記録変更の際には、該カードから前記カード用ステッカーが剥離されるが、該カード用ステッカーの裏面に再剥離性接着剤（以下単に「接着剤」という。）が使用されているために糊残りなどのベタベタ感や異物の付着などの汚れ感があり、取り扱い時の感触に問題があった。
【０００６】
さらに、カード側に前記接着剤が移行することが考えられ、該カード側に前記接着剤が移行した状態で該カードを記録変更用の機械装置（以下単に「機械装置」という。）に挿入すると該機械装置のトラブルをまねくおそれがあった。
【発明の開示】
【発明が解決しようとする課題】
【０００７】
本発明は、前記事情に鑑み、カードの記録変更の際に剥離しても糊残りなどのベタベタ感や異物の付着などの汚れ感がなく、取り扱い時の感触が良好なカード用ステッカーを提供しようとするものである。
【０００８】
さらに、カードを前記機械装置に挿入した場合にも該機械装置のトラブルをまねくことがないカード用ステッカーを提供しようとするものである。
【課題を解決するための手段】
【０００９】
本発明のカード用ステッカーは、表面に印刷面を有する基板と、該基板の裏面に接着されて反対面に微細な発泡フォーム層を有する吸盤シートからなることを特徴とする（請求項１）。本発明によれば、カード面に対して前記微細な発泡フォーム層を有する吸盤シートが貼着される。
【００１０】
すなわち、従来のように、接着剤は使用されない。したがって、カードから剥離した場合にも、糊残りなどのベタベタ感や異物の付着などの汚れ感がなく、取り扱い時の感触が良好である。このことは再貼着時も同様である。さらに、接着剤を使用するものではないため、カード側に接着剤が移行した場合に考えられる前記機械装置のトラブルの発生も防止される。
【００１１】
本発明の実施の一形態は、カードに貼着したままではカードの機械装置への挿入が不可能となる厚さに形成したことを特徴とする（請求項２）。
【００１２】
この実施の一形態によれば、ユーザーが、チャージなど、カードの記録変更のためにステッカーを貼着したままのカードを前記機械装置の挿入口に近づけた場合にすぐに、挿入が不可能であること及びステッカーを剥離すべきことに気付き、その後は、ステッカーを剥離して、カードのみを前記機械装置に挿入して目的を達成することができる。
【００１３】
すなわち、不注意により、チャージ等の記録変更のために前記従来の粘着シートあるいはカード用ステッカーを貼着したままのカードを前記機械装置に挿入すると、前記粘着シート及びカード用ステッカーの表面に変更事項が表示されるという問題が発生するものである。
【００１４】
さらに、前記機械装置への挿入時あるいは返還時に、前記粘着シートあるいはカード用ステッカーがカードから剥離するおそれがあり、該剥離した粘着シートあるいはカード用ステッカーが前記機械装置の内部に貼着したり、詰まったりして該機械装置の損傷などのトラブルを招くおそれがあった。この実施の一形態によれば上記問題及びトラブルの発生を防止することができる。
【００１５】
本考案の他の実施の一形態は、前記ステッカーの厚さが、０．５〜１ｍｍであることを特徴とする（請求項３）。この実施の一形態では、ステッカーの厚さが０．５ｍｍ以下の場合には、カードに貼着しても汎用されている記録変更用の機械装置に挿入される可能性があり、また、１ｍｍ以上ではかさばりが感じられ、定期券入れ、財布などに対する取り扱いが面倒になるものである。
【発明の効果】
【００１６】
本発明によれば、カードの記録変更の際に剥離しても、糊残りなどのベタベタ感や異物の付着などの汚れ感がなく、取り扱い時の感触が良好である。さらに、接着剤を使用するものではないため、ガード側に接着剤が移行した場合に考えられる前記機械装置で発生するおそれのあるトラブルを防止することができる。
【００１７】
さらに、実施の一形態によれば、カード用ステッカーを貼着したまま前記機械装置にカードを挿入することが防止される。したがって、カードのみが前記機械装置に挿入されて適正な記録変更が行われ前記機械装置で発生するおそれのあるトラブル等が二重に防止されるものである。
【発明を実施するための最良の形態】
【００１８】
以下、本発明の実施の一形態を図面に基づいて説明する。図１は、拡大断面図である。図中、１は、表面２に新商品キャンペーン、キャラクターイラストなどを印刷表示した基板であり、３は、前記基板１の裏面に接着され、反対面に微細な発泡フォーム層４を有するアクリル樹脂等からなる吸盤シート材である。
【００１９】
また、図中、５は、前記吸盤シート３の発泡フォーム層４に吸着された剥離紙、６は、前記基板１の表面２の印刷表示面を保護するポリプロピレン等の透明フィルムであり必要に応じて設けられる。
【００２０】
前記本発明のカード用ステッカーは、図示しないカード面に対して前記微細な発泡フォーム層４を有する吸盤シート３が貼着されて使用される。
【００２１】
また、前記本発明の実施の一形態では、前記剥離紙５を除き、前記基板１及び吸盤シート３、さらに、透明フィルム６の厚さＳが０．５〜１ｍｍの厚さに形成される。その結果、カード（図示せず）に貼着したままでは前記機械装置への挿入が不可能となるものである。
【００２２】
前記本発明のカード用ステッカーの製造は、前記透明フィルム６を貼り合わせた基板１、前記吸盤シート３及び剥離紙５を重ね合わせて一体にした後、打ち抜き加工により容易に製造することができる。
【図面の簡単な説明】
【００２３】
【図１】本発明の実施の一形態を示し、カード用ステッカーの断面図である。
【符号の説明】
【００２４】
１    基板
２    印刷面
３    吸盤シート部材
４    発泡フォーム層
５    剥離紙
【図１】
2009288765.tif 000003